(57)【特許請求の範囲】
【請求項１】
柄の先部に設けられた支持構造体と、前記支持構造体に取付けられた清掃プレートと、を有する清掃用具において、
前記清掃プレートは、第１のプレート部と第２のプレート部を有し、前記支持構造体は前記両プレート部の間に位置しており、
前記第１のプレート部および第２のプレート部が前記支持構造体に支持されているとともに、前記支持構造体では、前記柄が前記第１のプレート部と第２のプレート部の少なくとも一方へ向けて傾倒可能に支持されており、
前記第１のプレート部と第２のプレート部の少なくとも一方は、前記柄が傾倒したときに、前記柄に押されて、その基部が他方のプレート部から離れる方向へ曲げ変形可能とされていると共に、曲げられたプレート部の先端部が、他方のプレート部の先端部よりも前方へ突出することを特徴とする清掃用具。
【請求項２】
柄の先部に設けられた支持構造体と、前記支持構造体に取付けられた清掃プレートと、を有する清掃用具において、
前記清掃プレートは、第１のプレート部と第２のプレート部を有し、前記支持構造体は前記両プレート部の間に位置しており、
前記支持構造体は、前記柄の先部に設けられた連結体と、前記第１のプレート部および第２のプレート部を支持する支持体とを有し、前記支持体に対して前記連結体が傾倒動作できるように連結されて、前記連結体が、前記第１のプレート部と第２のプレート部の少なくとも一方へ向けて傾倒可能となっており、
前記第１のプレート部と第２のプレート部の少なくとも一方は、前記柄および前記連結体が傾倒したときに、前記柄または前記連結体に押されて、その基部が他方のプレート部から離れる方向へ曲げ変形可能とされていると共に、曲げられたプレート部の先端部が、他方のプレート部の先端部よりも前方へ突出することを特徴とする清掃用具。
【請求項３】
前記第１のプレート部と第２のプレート部の形状は、その長辺が、前記柄が回動するときの回動中心線と平行に延びる長方形である請求項１又は請求項２に記載の清掃用具。
【請求項４】
前記第１のプレート部と第２のプレート部は弾性プレートである請求項１ないし３のいずれかに記載の清掃用具。
【請求項５】
第１のプレート部と第２のプレート部は、互いに独立している請求項４記載の清掃用具。
【請求項６】
前記第１のプレート部と第２のプレート部はそれぞれの先部どうしで連結されている請求項４記載の清掃用具。
【請求項７】
前記第１のプレート部の基部と第２のプレート部の基部の、対向している側の面に、前記長辺方向に沿う補強板が設けられている請求項４ないし６のいずれかに記載の清掃用具。
【請求項８】
前記第１のプレート部と第２のプレート部の表面に交換可能な清掃用シートが取付け可能であり、前記第１のプレート部と第２のプレート部には、前記清掃用シートを止める止着手段が設けられている請求項１ないし７のいずれかに記載の清掃用具。
【発明の詳細な説明】
【０００１】
【発明の属する技術分野】
本発明は、床や家具などの清掃を行う清掃用具に係り、特に清掃箇所に応じて自在に変形できる清掃用具に関する。
【０００２】
【従来の技術】
床や家具の拭取り清掃に用いる清掃用具として、図１４および図１５に示すものがある。
【０００３】
図１４に示す清掃用具は、柄２の先部に連結部３を介してプレート１が支持されている。前記連結部３では、プレート１と柄２とが、連結軸４および連結具５によって回動自在に連結されている。この清掃用具では、前記プレート１の表面に、使い捨て用の清掃用シート６が着脱自在に取付けられるようになっている。図１４に示す清掃用具は、主に平坦な床などの清掃に適している。
【０００４】
図１５は、例えば特開平９−２７６１９５号公報に開示されているものと同種であり、柄７の先部に取付用基体８が取付けられている。この取付用基体８の両側に弾性プレート９，９が取付けられて固定具１１で固定されている。そして、弾性プレート９，９の表面に拭き布１２が取付けられる。この清掃用具は、弾性プレート９，９が自由に変形するため、弾性プレート９，９の先部で狭い場所での埃取りなどを行えるようになっている。
【０００５】
【発明が解決しようとする課題】
図１４に示す清掃用具は、平板型のプレート１に清掃用シート６が取付けられて、プレート１の主に下面１ａのみを利用して拭き取り作業を行うものとなっている。したがって、床面などのように平面的な場所しか清掃することができず、室の隅部や家具間の狭い隙間の清掃を行いにくい。
【０００６】
また、清掃用シート６での埃やゴミの付着箇所が、プレート部１の縁部に集中しやすく、図１４に示す清掃用シート６の主に６ａや６ｂに示す場所が重点的に汚れやすい。よって、清掃用シート６は、前記場所６ａと６ｂとで挟まれた中間部分が、埃取りに有効に使用されていないことになる。
【０００７】
次に、図１５に示す清掃用具は、弾性プレート９，９の先部を利用して家具と家具との隙間などの狭い場所の埃取りが可能であり、また弾性プレート９，９の弾性変形を利用して、室の隅部の埃を払うことなども可能である。しかし、床面などの平坦な部分の埃取りなどには適していない。
【０００８】
すなわち、弾性プレート９，９と柄７とが固定されているため、柄７を床面から立ち上がらせた状態で保持し、この状態で弾性プレート９の表面の全体を床面に確実に当てることが難しい。また弾性プレート９を床面に当てた状態で、柄７を自由に動かそうとすると、弾性プレート９が床から浮いてしまい、清掃用シート６を床面に広い面積で当てて拭き取りをすることが困難である。
【０００９】
本発明は上記従来の課題を解決するものであり、プレート部を自由に変形させることができ、床面などの平坦な場所の清掃や、狭い場所の拭取りなどのような多様な清掃ができる清掃用具を提供することを目的としている。
【００１０】
【課題を解決するための手段】
本発明は、柄の先部に設けられた支持構造体と、前記支持構造体に取付けられた清掃プレートと、を有する清掃用具において、前記清掃プレートは、第１のプレート部と第２のプレート部を有し、前記支持構造体は前記両プレート部の間に位置しており、前記第１のプレート部および第２のプレート部が前記支持構造体に支持されているとともに、前記支持構造体では、前記柄が前記第１のプレート部と第２のプレート部の少なくとも一方へ向けて傾倒可能に支持されており、前記第１のプレート部と第２のプレート部の少なくとも一方は、前記柄が傾倒したときに、前記柄に押されて、その基部が他方のプレート部から離れる方向へ曲げ変形可能とされていると共に、曲げられたプレート部の先端部が、他方のプレート部の先端部よりも前方へ突出することを特徴とするものである。
【００１１】
または、本発明は、柄の先部に設けられた支持構造体と、前記支持構造体に取付けられた清掃プレートと、を有する清掃用具において、前記清掃プレートは、第１のプレート部と第２のプレート部を有し、前記支持構造体は前記両プレート部の間に位置しており、前記支持構造体は、前記柄の先部に設けられた連結体と、前記第１のプレート部および第２のプレート部を支持する支持体とを有し、前記支持体に対して前記連結体が傾倒動作できるように連結されて、前記連結体が、前記第１のプレート部と第２のプレート部の少なくとも一方へ向けて傾倒可能となっており、前記第１のプレート部と第２のプレート部の少なくとも一方は、前記柄および前記連結体が傾倒したときに前記柄または前記連結体に押されて、その基部が他方のプレート部から離れる方向へ曲げ変形可能とされていると共に、曲げられたプレート部の先端部が、他方のプレート部の先端部よりも前方へ突出することを特徴とするものである。
【００１２】
この清掃用具は、一方のプレート部を床面などに当てた状態で、柄を持ち上げて他方のプレート部を曲げ変形させることによって、前記一方のプレート部で、床面などの平坦な面の清掃を容易に行うことができる。また第１のプレート部と第２のプレート部の先部で、狭い場所の拭取りなども可能である。
【００１４】
また、この清掃用具は、前記プレート部が曲げ変形したときに、曲げられたプレート部の先端部が他方のプレート部の先端部よりも前方へ突出するので、床面などの清掃のときに、第１のプレート部と第２のプレート部の双方が床面に当たるようになって、実質的に拭取りに寄与する面積を広く利用できる。
【００１５】
例えば、前記第１のプレート部と第２のプレート部の形状は、その長辺が、前記柄が回動するときの回動中心線と平行に延びる長方形である。
【００１６】
また、前記第１のプレート部と第２のプレート部は弾性プレートであることが好ましい。この場合に、第１のプレート部と第２のプレート部は、互いに独立しているものであってもよいし、前記第１のプレート部と第２のプレート部はそれぞれの先部どうしで連結されているものであってもよい。
【００１７】
前記第１のプレート部と第２のプレート部が弾性プレートであると、床面などの被清掃面に対してプレート部が弾性力を有して接触することになり、弾性プレートが床面に当たる抵抗力を低減できる。また両プレート部が柔軟に変形するため、凹凸を有する部分に対しても確実に清掃することができる。
【００１８】
ただし、前記第１のプレート部と第２のプレート部は、高い剛性を有するものであり、その中間部分のみが弾性体で形成されて、折り曲げが可能なものとされていてもよい。
【００１９】
ただし、第１のプレート部と第２のプレート部が弾性プレートである場合に、前記第１のプレート部の基部と第２のプレート部の基部の、対向している側の面に、前記長辺方向に沿う補強板が設けられているものが好ましい。
【００２０】
弾性プレートの基部に補強板が設けられていると、柄を持ち上げたときに一方のプレート部の基部が確実に折り曲がるようになり、他方のプレート部を床面などの平坦な面に確実に当てることができるようになる。
【００２１】
さらに、本発明は、前記第１のプレート部と第２のプレート部の表面に交換可能な清掃用シートが取付け可能であり、前記第１のプレート部と第２のプレート部には、前記清掃用シートを止める止着手段が設けられているものにおいて有効である。
【００２２】
前記清掃用シートは、不織布などを主体とした交換後に使い捨て可能なものであってもよいし、あるいは洗濯して再使用されるものであってもよい。または、前記第１のプレート部および第２のプレート部そのものが埃の吸着機能を有するものであってもよい。
【００２３】
【発明の実施の形態】
図１は本発明の清掃用具の第１の実施の形態の外観を示す斜視図、図２は前記清掃用具の第１の実施の形態を示す部分斜視図、図３は第２の実施の形態を示す部分斜視図、図４は前記第１の実施の形態の清掃用具の動作を示す断面図、図５は前記第２の実施の形態の清掃用具の動作を示す断面図、図６は前記第１の実施の形態の清掃用具の他の動作を示す断面図、図７と図８は、前記清掃用具の第３の実施の形態を動作別に示す断面図、図９は支持構造体の他の実施の形態を示す斜視図、図１０（Ａ）は第４の実施の形態の清掃用具を示す側面図、（Ｂ）は前記第４の実施の形態の清掃用具の動作を示す側面図、図１１、図１２、図１３は、清掃用シートを止める止着手段の構造例を示す部分斜視図である。
【００２４】
図１に示す清掃用具２０Ａは、柄２１と、前記柄２１の先部に設けられた支持構造体２２Ａと、前記支持構造体２２Ａに支持された清掃プレート２５を有している。前記清掃プレート２５は、第１のプレート部２３と第２のプレート部２４とから成る。図１ないし図６までに示すそれぞれの実施の形態では、第１のプレート部２３と第２のプレート部２４が互いに独立した長方形状であり、また第１のプレート部２３と第２のプレート部２４は、共に弾性プレートである。弾性プレートは、発泡ウレタンのプレート、合成ゴムのプレートなどであり、弾性領域内で曲げ変形させた後に、外力を除去すると平坦な状態に弾性復帰できるものである。
【００２５】
図１および図４ないし図８に示すように、以下の実施の形態の清掃用具は、使い捨てまたは取り替えて再使用可能な清掃用シート１６が取付けられて使用される。
【００２６】
図２に示すように、第１の実施の形態の清掃用具２０Ａは支持構造体２２Ａを有している。
【００２７】
前記支持構造体２２Ａには、連結体３１が設けられている。この連結体３１は幅寸法が小さく一方向（Ｙ方向）へ細長く延びる板状である。連結体３１の中央部には突出部３２が一体に形成されている。前記柄２１の先部には軸方向へ切込まれた連結溝２１ａが形成されており、前記突出部３２が前記連結溝２１ａ内に挿入されて、前記突出部３２と柄２１とが連結軸３３で連結されている。よって、柄２１は連結体３１に対してα１、α２方向へ回動自在である。
【００２８】
前記連結体３１の図示上下方向の両側には、第１の支持体３４と第２の支持体３５が設けられている。第１の支持体３４と前記連結体３１は２箇所に設けられたヒンジ部３６，３６により回動自在に連結されており、第２の支持体３５と前記連結体３１も２箇所に設けられたヒンジ部３７，３７により回動自在に連結されている。前記連結体３１および、第１の支持体３４と第２の支持体３５は、合成樹脂材料で一体に形成されており、前記ヒンジ部３６，３６およびヒンジ部３７，３７では、前記合成樹脂で形成された板材の一部を薄肉にすることにより曲げ変形可能となっている。
【００２９】
そして、前記第１の支持体３４の表面には前記第１のプレート部２３が接着剤などの固定手段で固定されており、前記第２の支持体３５の表面に、前記第２のプレート部２４が同じく接着剤などの固定手段で固定されている。
【００３０】
このように構成された前記支持構造体２２Ａでは、前記柄２１および連結体３１が、第１の支持体３４と第２の支持体３５との間に位置し、連結体３１が両支持体３４と３５の双方に対して回動自在に連結されている。そして連結体３１と第１の支持体３４および第２の支持体３５が、それぞれ独立して図４に示すβ１方向とβ２方向へ傾倒動作自在である。前記連結体３１の回動中心線（傾倒支持線）は、図４においてＯ１で示す範囲内に位置しており、前記回動中心線の延びる方向はＹ方向である。そして前記第１のプレート部２３と第２のプレート部２４は、長辺が前記回動中心線と平行に延びる長方形である。
【００３１】
図６に示すように、第１のプレート部２３は、前記回動中心軸が位置する箇所を起点として後縁側の長辺２３ｃまでの領域が基部２３ａであり、図４に示すように、この基部２３ａが、前記第１の支持体３４と共に折り曲げ可能である。同様に第２のプレート部２４は、前記回動中心軸が位置する箇所を起点として後縁側の長辺２４ｃまでの領域が基部２４ａであり、この基部２４ａが、前記第２の支持体３５と共に折り曲げ可能となっている。
【００３２】
また、前記第１の支持体３４の一部が補強プレート３４ａとなっている。補強プレート３４ａは、第１のプレート部２３の後縁側の長辺２３ｃに沿うように位置している。前記基部２３ａに補強プレート３４ａが接着されることによって、第１のプレート部２３の前記基部２３ａが補強されている。同様に、第２の支持体３５の一部が補強プレート３５ａとなっており、この補強プレート３５ａが、第２のプレート部２４の基部２４ａにおいて後縁側の長辺２４ｃに沿って位置している。この補強プレート３５ａが前記基部２４ａに接着されることによって、第２のプレート部２４の基部２４ａが補強されている。
【００３３】
図１、図４および図６に示すように、第１のプレート部２３と第２のプレート部２４の表面に前記清掃用シート１６が巻き付けられ、その端部１６ａと１６ｂは、第１のプレート部２３と第２のプレート部２４の内側に巻き込まれて止着手段により止められている。この止着手段の具体的な構造例は図１１ないし図１３に示されている（後に説明する）。
【００３４】
図６に示すように、清掃用具２０Ａが自由状態のとき、第１のプレート部２３と第２のプレート部２４の弾性復元力により、両プレート部２３と２４とが平面状態を保っている。このとき、柄２１が第１のプレート部２３と第２のプレート部２４とで挟まれて、両プレート部２３と２４とがほぼＶ字形状に対向している。この状態で、第１のプレート部２３の先部と第２のプレート部２４の先部は弾性変形可能であるため、例えば両プレート部２３と２４とから成る清掃用プレート部２５をγ１方向およびγ２方向へ払うと、箒のように両プレート部２３と２４および清掃用シート１６が変形して、床面上などの埃を払うことができる。
【００３５】
またＶ字状に対向する第１のプレート部２３と第２のプレート部２４の先部を利用して、狭い場所の拭取りを行うこともできる。
【００３６】
また、図４に示すように、一方のプレート部を変形させることにより、床面などのような平坦な部分の清掃が容易である。
【００３７】
すなわち、第２のプレート部２４の表面に位置する清掃用シート１６を床面に当て、そのまま柄２１を床面に垂直となる向き（β１方向）へ持ち上げる。このとき、柄２１の先部に設けられている連結部３１が、ヒンジ部３６と３７の部分に位置する回動中心軸を支点としてβ１方向へ回動し、柄２１によって第１の支持体３４の補強プレート３４ａが持ち上げられる。よって、前記補強プレート３４ａと共に、第１のプレート部２３の基部２３ａが立ち上がるように曲げられる。
【００３８】
図４に示す状態では、第２のプレート部２４が平面的な状態で床面に当てられ、しかも柄２１は立ち上がっている。よって柄２１を保持して前後（Ｘ１−Ｘ２方向）へ移動させれば、第２のプレート部２４の表面に設けられている清掃用シート１６によって床表面などの平坦な部分を拭取ることができる。
【００３９】
さらに、図４の状態で柄２１をβ１方向やβ２方向へ回動させ、あるいは図２に示すα１方向やα２方向へ倒しても、第２のプレート部２４の表面の清掃用シート１６が床面に当たった状態を維持できるため、柄２１を自由な向きに倒しながら清掃を行うことが可能である。
【００４０】
また、図４の状態では、第１のプレート部２３と第１の支持体３４との接合部の前方端部２３Ａが、第２のプレート部２４と第２の支持体３５との接合部の前方端部２４Ａよりも前方（Ｘ１側）へ押し出されるため、第１のプレート部２３の先端部２３ｂが、第２のプレート部２４の先端部２４ｂよりもＸ１方向の前方へ位置ずれする。その結果、床面に接触できる清掃用シート１６の幅寸法Ｗ２は、第２のプレート部２４の幅寸法Ｗ１よりも広くなり、清掃用シート１６を広い面積で床面に当てることができる。
【００４１】
図４の状態で清掃を行うと、主に第２のプレート部２４の前端部を覆っている清掃用シート１６の部分１６ｃと、第２のプレート部２４の後端部を覆っている清掃用シート１６の部分１６ｄに、埃やゴミが集中する。前記清掃用シート１６の部分１６ｃと部分１６ｄの汚れが多くなった時点で、清掃用具を図４の上下逆にして使用することにより、清掃用シート１６の汚れていない新たな面で清掃を行うことができる。
【００４２】
すなわち、第１のプレート部２３の表面に位置している清掃用シート１６を床面に当てた状態で、柄２１をβ２方向へ持ち上げれば、第１のプレート部２３の表面の清掃用シート１６が床面に当たった状態で、第２のプレート部２４の基部２４ａを床面から垂直な方向へ向けて持ち上げることができる。そして、第１のプレート部２４の表面を覆う清掃用シート１６で床面の拭取りができる。
【００４３】
図１４の従来例では、清掃用シート６の前後端部６ａと６ｂに埃が集中した状態で、それ以上効果的な清掃を行うのは難しくなる。しかし、図４に示す清掃用具は、第２のプレート部２４を覆う清掃用シート１６の部分１６ｃと１６ｄに埃が集中した後に、図４の上下を逆さにして第１のプレート部２３を覆う清掃用シート１６により拭取りできる。したがって、図４に示す清掃用具は、図１４に示す従来の清掃用具に比べて、清掃用シート１６の表面全域を有効に使用することができる。
【００４４】
次に図３に示す実施の形態の清掃用具２０Ｂは、柄２１の先部に支持構造体２２Ｂが設けられている。
【００４５】
前記支持構造体２２Ｂには、Ｙ方向に延びる幅の細い連結体４１が設けられている。この連結体４１には突出部４２が一体に形成されており、この突出部４２が前記柄２１の先部の連結溝２１ａ内に挿入され、突出部４２と柄２１の先部とが連結軸４３により回動自在に連結されている。
【００４６】
前記支持構造体２２Ｂには支持体４４が設けられている。この支持体４４は筒状体であり、その中央部に切欠部４４ａが開口している。前記連結体４１は前記支持体４４の内部に挿入されて、図５に示すように、前記連結体４１は前記支持体４４内で図５に示すβ１方向とβ２方向へ回動できるように軸支持されている。なお、前記連結体４１と支持体４４は合成樹脂材料で形成されている。あるいは金属製であってもよい。あるいは木製であってもよい。
【００４７】
図５に示すように、前記筒状の支持体４４の外面にはＹ方向に延びる支持プレート４６と４７が固定されており、前記支持プレート４６に前記第１のプレート部２３が接着剤などで固定されており、前記支持プレート４７に前記第２のプレート部２４が接着剤などで固定されている。
【００４８】
図３および図５に示すように、第１のプレート部２３は、前記支持体４４に接合されている箇所を起点として長辺２３ｃまでが基部２３ａである。また、第２のプレート部２４は、前記支持体４４に接合されている箇所を起点として長辺２４ｃまでが基部２４ａとなっている。この実施の形態では、第１のプレート部２３の基部２３ａにおいて、後縁側の長辺２３ｃに沿う補強プレート４８が接着されて設けられている。同様に、第２のプレート２４の基部２４ａにも、後縁側の長辺２４ｃに沿う補強プレート４９が接着されて設けられている。
【００４９】
この清掃用具２０Ｂにおいても、第１のプレート部２３と第２のプレート部２４の表面に清掃用シート１６が取付けられる。第１のプレート部２３と第２のプレート部２４は弾性プレートであり、外力を与えていないとき、図６に示した清掃用具２０Ａと同じに、第１のプレート部２３と第２のプレート部２４がＶ字形状で対向し、第１のプレート部２３の先端部２３ｂと、第２のプレート部２４の先端部２４ｂとで、床面の埃の払い取りや狭い場所の清掃ができる。
【００５０】
そして、図５に示すように、第２のプレート部２４の表面の清掃用シート１６を床面に当てた状態で、柄２１をβ１方向へ持ち上げると、柄２１により補強プレート４８が持ち上げられ、この補強プレート４８と共に、第１のプレート部２３の基部２３ａが持ち上げられて曲げられる。このとき、筒状の支持体４４がβ３方向へ押し回されるため、第１のプレート部２３の先端部２３ｂは、第１のプレート部２４の先端部２４ｂよりも前方（Ｘ１方向）へ押し出される。そして、図４に示した清掃用具２０Ａと同様に、床面に対向する清掃用シート１６の面積を広くできる。
【００５１】
図５の状態で、床面のような平面を拭取ることができる。また図５と上下逆の向きにして、第１のプレート部２３の表面の清掃用シート１６を床面に当てて、柄２１をβ２方向へ立ち上げると、第２のプレート部２４の基部２４ａを曲げることができ、第１のプレート部２３の表面に位置する清掃用シート１６で床面などを拭くことができるようになる。
【００５２】
図７は本発明の第３の実施の形態の清掃用具２０Ｃを示す断面図、図８は前記清掃用具２０Ｃで床面などを清掃する状態を示す断面図である。
【００５３】
この清掃用具２０Ｃでは、１枚の弾性プレートが清掃プレート５１として使用されている。清掃プレート５１は長方形であり、図７に示すように、前記清掃プレート５１の短辺を二分した一方の半分が第１のプレート部５２であり、他方の半分が第２のプレート部５３である。第１のプレート部５２と第２のプレート部５３は、共にＹ方向に長辺を有する長方形である。前記第１のプレート部５２の後方部分の折り曲がる領域が基部５２ａであり、第２のプレート部５３の後方部分の折り曲がる領域が基部５３ａである。
【００５４】
そして、第１のプレート部５２と第２のプレート５３との境界部分に、複数の薄肉部５１ａが第１のプレート部５２から第２のプレート部５３に渡って形成されており、この部分が変形容易部となっている。
【００５５】
図７と図８に示す清掃用具２０Ｃは、柄２１の先部に支持構造体２２Ｃが設けられている。この支持構造体２２Ｃには、Ｙ方向に延びる連結体５６が設けられ、この連結体５６が、柄２１の先部の連結溝２１ａ内に挿入されて連結軸５７によって回動自在に連結されている。
【００５６】
前記第１のプレート部５２の基部５２ａの内面には、Ｙ方向に沿う支持体兼用の補強プレート５８が接着されて設けられ、第２のプレート部５３の基部５３ａの内面に、Ｙ方向に沿う支持体兼用の補強プレート５９が接着されて設けられている。前記連結体５６と補強プレート５８との間には、これらと別部材として構成されたヒンジ部６１が取付けられており、同じく前記連結体５６と前記補強プレート５９との間にも、ヒンジ部６２が取付けられている。ヒンジ部６１は回動軸６１ａを有し、ヒンジ部６２は回動軸６２ａを有している。
【００５７】
よって、連結体５６は前記２つの回動軸６１ａと６２ａによって、支持体となる補強プレート５８および補強プレート５９に対して回動自在（傾倒動作自在）に支持されている。
【００５８】
この清掃用具２０Ｃも、清掃用プレート５１の表面に清掃用シート１６が取付けられる。図８に示すように、第２のプレート部５３の表面の清掃用シート１６を床面などの平面に当てた状態で、柄２１をβ１方向へ持ち上げると、柄２１に押されて補強シート５８が持ち上げられる。そして、第１のプレート部５２の基部５２ａが持ち上げられるように曲げ変形させられる。
【００５９】
また、図８の状態では、基部５２ａが持ち上げられることにより、第１のプレート部５２が前方（Ｘ１方向）へずれて、床面に当たる清掃用プレート５１の幅寸法が、図７のＷ３から図８に示すＷ４に広がり、清掃用シート１６は広い面積で床面に当たるようになる。
【００６０】
また、清掃用具２０Ｃを図８と上下逆にすれば、第１のプレート部５２の表面に位置する清掃用シート１６によって床面などを清掃することができる。
【００６１】
次に、図９は、柄２１の先部に設けられる支持構造体のさらに他の実施の形態を示す斜視図である。
【００６２】
図９に示す支持構造体２２Ｄは、柄２１の先部の保持溝２１ａ内に連結体８１の突出部８１ｄが挿入されて連結軸８６により回動自在に支持されている。前記連結体８１は前記突出部８１ｄを有する部分が大径部８１ａであり、この大径部８１ａの両端部分に前記大径部８１ａよりも直径の小さい軸部８１ｂ，８１ｃが一体に形成されている。
【００６３】
前記軸部８１ｂには支持体８３と８５が回動自在に挿通されており、前記軸部８１ｃには、支持体８２と８４が回動自在に挿通されている。そして、各支持体８２，８３，８４，８５には支持プレート８２ａ，８３ａ，８４ａ，８５ａが設けられている。支持プレート８２ａと８３ａに、図３などに示す第１のプレート部２３、または図７に示す第１のプレート部５２が固定され、支持プレート８４ａ，８５ａに第２のプレート部２４または第２のプレート部５３が固定される。
【００６４】
前記連結体８１および各支持体８２，８３，８４，８５は、合成樹脂、金属、または木材などで形成可能である。また各支持体８２，８３，８４，８５と、各支持プレート８２ａ，８３ａ，８４ａ，８５ａは、合成樹脂で一体成型されていてもよいし、または支持体と支持プレートが別々のものとして形成されて、接着やねじ止め、溶接などで固定されたものであってもよい。
【００６５】
この支持構造体２２Ｄを用いたときも、図４、図５または図８に示すように、柄２１を回動させて、第１のプレート部の基部や第２のプレート部の基部を曲げ変形させることができる。
【００６６】
図１０（Ａ）（Ｂ）は、本発明の第４の実施の形態の清掃用具２０Ｄを示している。
【００６７】
図１０に示す清掃用具２０Ｄでは、支持構造体９１に支持体９２が設けられており、この支持体９２の上面と下面に、第１のプレート部２３と第２のプレート部２４がそれぞれ固定されている。
【００６８】
図１０（Ｂ）に示すように、前記第１のプレート部２３と第２のプレート部２４は、共に弾性プレートである。前記第１のプレート部２３は、支持体９２との接合境界部２３Ｂから後縁側の長辺２３ｃまでが基部２３ａであり、この基部２３ａの内面に補強プレート４８が固定されている。また第２のプレート部２４も、支持体９２との接合境界部２４Ｂから後縁側の長辺２４ｃまでが基部２４ａであり、この基部２４ａの内面に補強プレート４９が設けられている。
【００６９】
例えば図１０（Ｂ）に示すように、第２のプレート部２４の表面の清掃用シート１６を床面などの平坦な面に当てて、柄９３をβ１方向へ持ち上げると、柄９３によって補強プレート４８および第１のプレート部２３の基部２３ａが持ち上げられて、基部２３ａが曲げられる。この状態で、第２のプレート部２４に設けられた清掃用シート１６で床面などの拭き取りが可能となる。
【００７０】
なお、前記支持体９２に対して柄９３がβ１とβ２方向へ回動自在であるとともに、柄９３が図２に示したα１とα２方向へ回動自在とすることも可能である。
【００７１】
なお、図１０に示す支持体９２に、図７と図８に示した清掃プレート５１を設置してもよい。
【００７２】
次に、図１１、図１２、および図１３は、清掃用シート１６の端部１６ａと１６ｂを第１のプレート部と第２のプレート部の対向する面に取付けるための止着手段を実施の形態別に示している。
【００７３】
図１１と図１２および図１３では、図３に示す清掃用具２０Ｂの補強プレート４９に清掃用シート１６の端部１６ｂが取付けられる場合を例として説明している。
【００７４】
図１１に示す止着手段では、補強プレート４９の表面の複数箇所に係止シート７１が設けられている。前記係止シート７１は表面に多数の鉤状の突起が設けられたものであり、各突起は樹脂製である。前記清掃用シート１６を第１のプレート部と第２のプレート部の外面に設置した後に、端部１６ｂを補強シート４９の表面に導いて前記係止シート７１に係止させることにより、清掃用シート１６を止めることができる。なお清掃用シート１６の他方の端部１６ａも同様に補強プレート５８に止着される。これは以下の実施の形態においても同じである。
【００７５】
図１２に示す止着手段では、補強プレート４９に挟持板７２が支持軸７３を支点として回動自在に設けられており、挟持板７２の先部に設けられたフック７２ａが補強プレート４９の縁部に着脱自在に嵌合するようになっている。
【００７６】
清掃用シート１６の端部１６ｂは、補強シート４９と前記挟持板７２との間に挟み込まれて止められる。
【００７７】
図１３に示す止着手段では、樹脂製の補強プレート４９に薄肉の保持片７５が切欠部７６により分離されて形成され、それぞれの保持片７５が弾性変形可能となっている。清掃用シート１６の端部１６ｂが前記保持片７５の間の切欠部７６内に押し込まれて保持される。
【００７８】
このような止着手段を設けることにより、汚れた清掃用シート１６を外して、新たな清掃用シート１６を取付けることが可能になる。
【００７９】
なお、本発明は、前記各実施の形態の要素を組合せることが可能であり、図２と図４および図６に示す実施の形態において、図７と図８に示す支持構造体２２Ｃを用いることができ、逆に、図７と図８に示す実施の形態において、図２に示す支持構造体２２Ａや図３に示す支持構造体２２Ｂを用いることができる。また図１ないし図１０に示す各実施の形態に、図１１、図１２および図１３に示す止着手段を選択して設けることが可能である。
【００８０】
なお、第１のプレート部２３，２４と支持体３４，３５，４４，８２，８３，８４，８５，９２または補強プレート５８，５９とが一体成型されていてもよいし、接着剤以外の固定手段により固定されていてもよい。
【００８１】
また、第１のプレート部と第２のプレート部が弾性プレートである場合、その基部に、図２に示す補強プレート３４ａ，３５ａ、図３に示す補強プレート４８，４９、または図７に示す補強プレート５８，５９を設けることにより、柄２１を持ち上げたときに、第１のプレート部または第２のプレート部の基部を安定した状態で上方へ持ち上げることができる。しかしこれら補強プレートが設けられておらず、柄２１により第１のプレート部または第２のプレート部が直接に持ち上げられて曲げ変形させられるものであってもよい。
【００８２】
また、第１のプレート部の基部や第２のプレート部の基部が、柄２１ではなく、柄２１の先部に設けられた連結体に押されて持ち上げられる構造であってもよい。
【００８３】
さらに、第１のプレート部と第２のプレート部は全体が弾性プレートである必要はなく、図４、図５、図８などに示すように基部が持ち上げられたときに、一部のみが曲げ変形可能であり、その他の部分のプレート部が弾性変形しないものであってもよい。
【００８４】
また、第１のプレート部と第２のプレート部のいずれか一方のみが、図４、図５、図８などに示すように折り曲げ可能であり、他方が曲がらないものであってもよい。しかし、清掃用シートを広い範囲で有効に使用するためには、第１のプレート部と第２のプレート部の双方が曲がるものであることが好ましい。
【００８５】
さらに清掃用シート１６を取付けるものではなく清掃用プレート（第１のプレート部と第２のプレート部）そのものが埃の収集機能を有するものであってもよい。
【００８６】
【発明の効果】
以上のように本発明では、狭い場所の汚れ落しができ、しかも床面などの平面を広い面積で清掃することができる。また清掃用シートを用いる場合に、清掃用シートを広い範囲で有効に使用することができる。
【図面の簡単な説明】
【図１】本発明の清掃用具の一例を示す外観斜視図、
【図２】第１の実施の形態の清掃用具を示す部分斜視図、
【図３】第２の実施の形態の清掃用具を示す部分斜視図、
【図４】第１の実施の形態の清掃用具で床面などを清掃している状態を示す断面図、
【図５】第２の実施の形態の清掃用具で床面などを清掃している状態を示す断面図、
【図６】第１の実施の形態の清掃用具で狭い場所を清掃している状態を示す断面図、
【図７】第３の実施の形態の清掃用具の自由状態を示す断面図、
【図８】第３の実施の形態の清掃用具で床面などを清掃している状態を示す断面図、
【図９】支持構造体のさらに他の実施の形態を示す斜視図、
【図１０】（Ａ）（Ｂ）は、本発明の第４の実施の形態の清掃用具を動作別に示す側面図、
【図１１】清掃用シートを止める止着手段の一例を示す部分斜視図、
【図１２】清掃用シートを止める止着手段の一例を示す部分斜視図、
【図１３】清掃用シートを止める止着手段の一例を示す部分斜視図、
【図１４】従来の清掃用具を示す側面図、
【図１５】従来の清掃用具を示す側面図、
【符号の説明】
１６  清掃用シート
２０Ａ，２０Ｂ，２０Ｃ  清掃用具
２１  柄
２２Ａ，２２Ｂ，２２Ｃ，２２Ｄ  支持構造体
２３  第１のプレート部
２３ａ  基部
２４  第２のプレート部
２４ａ  基部
２５  清掃プレート
３１  連結体
３４，３５  支持体
３４ａ，３５ａ  補強プレート
３６，３７  ヒンジ部
４１  連結体
４４  支持体
４８，４９  補強プレート
５１  清掃プレート
５２  第１のプレート部
５２ａ  基部
５３  第２のプレート部
５３ａ  基部
５６  連結体
６１，６２  ヒンジ部
７１，７２，７５  止着手段
８１  連結体
８２，８３，８４，８５  支持体
９１  支持構造体
９２  支持体
９３  柄
【図１】
0004001737.tif 000002
【図２】
0004001737.tif 000003
【図３】
0004001737.tif 000004
【図４】
0004001737.tif 000005
【図５】
0004001737.tif 000006
【図６】
0004001737.tif 000007
【図７】
0004001737.tif 000008
【図８】
0004001737.tif 000009
【図９】
0004001737.tif 000010
【図１０】
0004001737.tif 000011
【図１１】
0004001737.tif 000012
【図１２】
0004001737.tif 000013
【図１３】
0004001737.tif 000014
【図１４】
0004001737.tif 000015
【図１５】
0004001737.tif 000016